(57)【要約】【課題】通気性を確保することができる広口の袖口を有し、且つ、使用者が腕を高く上げた状態においても袖部がずれ落ちない構成のレインウエアを提供することを課題とする。【解決手段】レインウエアＲＷの袖部１０の袖口付近の内側には、ゴムバンドからなる係止環２１が配設されている。この係止環２１は使用者Ｍの腕Ａの手首部分に着脱自在に係止する。係止環２１が、使用者Ｍの腕Ａの手首に係止している状態においては、この係止環を介してレインウエアＲＷの袖部１０の袖口が使用者Ｍの手首に係止されることになる。【選択図】  図２
2005015966.tif 000002
【特許請求の範囲】
【請求項１】
使用者が腕を通す２つの袖部が形成されているレインウエアにおいて、
前記レインウエアを前記使用者が装着した際、前記袖部の袖口付近に位置する前記使用者の腕に着脱自在に係止可能な係止部材が、前記袖部の袖口付近の内側に配設されていることを特徴とするレインウエア。
【請求項２】
前記袖部は、前記使用者の肩から手首にまで至る長さを有しており、前記係止部材は、伸縮自在な材料からなり且つ前記手首に着脱自在な環状に形成された係止環によって構成され、当該係止環の一部が前記袖部の袖口付近の内側に固定されていることを特徴とする請求項１に記載のレインウエア。
【請求項３】
前記係止環は、ゴムバンドにより形成されていることを特徴とする請求項２に記載のレインウエア。
【発明の詳細な説明】
【０００１】
【発明の属する技術分野】
本発明は、雨天時に使用するレインウエアに関するものである。
【０００２】
【従来の技術】
図４は、一般的なレインウエアＲＷの構成を示した斜視図である。このようなレインウエアＲＷは、通常、防水加工されているために、着用時においては、その内部に湿気が籠もってしまい蒸れ易い。このような蒸れを減少させて使用者の不快感を少しでも解消するために、多くのレインウエアＲＷの袖部１０の袖口１１は、図５（ａ）に示したように広口に構成されており、この袖口１１における通気性を確保している。
【０００３】
【発明が解決しようとする課題】
しかしながら、図４に示した広口の袖口１１を有するレインウエアＲＷにおいては、図６に示したように、使用者Ｍが腕Ａを高く上げた場合、袖部１０がずれ落ちてきてしまう。このようにずれ落ちてきた袖部１０は、使用者Ｍの顔付近の肩の部分に嵩張った状態で留まってしまうために、例えば、レインウエアＲＷを着用して梅等の果物を収穫する場合には、その作業性を著しく低下させてしまう。
【０００４】
このような作業性の低下を防ぐために、図５（ｂ）に示したように、袖口１１にゴム等を配設して袖口１１を手首に係止させる構成のレインウエアＲＷも市販されているが、このようなレインウエアＲＷにおいては、袖口１１の通気性が確保できないために、レインウエアＲＷの内部が蒸れ易くなってしまう。
【０００５】
本発明の目的は、通気性を確保することができる広口の袖口を有し、且つ、使用者が腕を高く上げた状態においても袖部がずれ落ちない構成のレインウエアを提供することにある。
【０００６】
【課題を解決するための手段】
以上の目的を達成するために本発明は、使用者が腕を通す２つの袖部が形成されているレインウエアにおいて、前記レインウエアを前記使用者が装着した際、前記袖部の袖口付近に位置する前記使用者の腕に着脱自在に係止可能な係止部材が、前記袖部の袖口付近の内側に配設されていることを特徴とするものである。
【０００７】
また上記手段において、前記袖部は、前記使用者の肩から手首にまで至る長さを有しており、前記係止部材は、伸縮自在な材料からなり且つ前記手首に着脱自在な環状に形成された係止環によって構成され、当該係止環の一部が前記袖部の袖口付近の内側に固定されていてもよい。さらにこの係止環は、ゴムバンドにより形成されていてもよい。
【０００８】
【発明の実施の形態】
以下、図面を用いて本発明の実施形態について説明する。
【０００９】
図１（ａ）は本発明の一実施形態に係るレインウエアＲＷの袖部１０の袖口１１付近の構成を示した斜視図である。
【００１０】
図１（ａ）に示したように、本実施形態に係るレインウエアＲＷの袖部１０の袖口１１付近の内側には、使用者の腕Ａの手首の部分に係止する係止環２１が、配設されている。この係止環２１は、伸縮自在な材料によって構成され、使用者の手首に着脱自在な環状の形状に形成されている。本実施形態においては、この係止環２１はゴムバンドによって構成されているが、この係止環２１は、例えば腕時計の伸縮自在な時計バンドのような構造のもので構成してもよい。本実施形態においては、係止環２１の一部分が袖部１０に固定されている。
【００１１】
以上のように構成された本実施形態においては、図２（ａ）に示したように使用者Ｍが腕Ａを高く上げた場合でも、袖部１０の袖口付近に配設されている係止環２１が手首に係止しているために、袖部１０がずれ落ちてこない。
【００１２】
このように本実施形態によれば、袖口１１を広口として通気性を確保することができるとともに、使用者Ｍが腕Ａを高く上げた状態でも袖部１０がずれ落ちるようなことはない。
【００１３】
さらに、袖部１０の内側に伸縮自在な係止環２１が配設されている本実施形態においては、図１（ｂ）に示したように、係止環２１を裏返しにして、この裏返しにした係止環２１と手首との間に、袖部１０の袖口付近の服地を挟み込めば、袖口が手首に密着した形態のレインウエアＲＷとして使用することができる。このように袖口が手首に密着した形態とした場合にも、図２（ｂ）に示したように、使用者Ｍが腕Ａを高く上げても袖部１０はずれ落ちない。すなわち、本実施形態によれば、梅雨時等しとしと雨が降っているときには、図１（ａ）に示した広口の袖口の形態でレインウエアＲＷを使用することができ、風雨が強くなったときには、図１（ｂ）に示した手首に密着した袖口の形態でレインウエアＲＷを使用することができる。
【００１４】
なお、以上説明した実施形態においては、使用者の手首に係止する係止部材を、伸縮自在な材料からなる係止環によって構成してあるが、この係止部材は、このような係止環に限られるものではなく、例えば図３（ａ）に示したような形状の可撓性を有する合成樹脂性の係止部材２２を図３（ｂ）に示したように袖部１０の袖口１１付近の内側に配設してもよい。また、本発明の範囲は、ジャケットの形態のレインウエアに限られるものではなく、袖部さえ形成されていればどのようなレインウエアであってもよい。例えば袖部を有するポンチョも本発明の範囲に含まれるものである。
【００１５】
【発明の効果】
以上説明したように本発明によれば、通気性を確保することができる広口の袖口を有し、且つ、使用者が腕を高く上げた状態においても袖部がずれ落ちない構成のレインウエアを提供することができる。
【図面の簡単な説明】
【図１】本発明の一実施形態に係るレインウエアの袖部の構成を示した斜視図である。
【図２】図１に示したレインウエアの使用状態の説明図である。
【図３】本発明の他の実施形態の構成を示す斜視図である。
【図４】従来のレインウエアの構成を示す斜視図である。
【図５】従来のレインウエアの説明図である。
【図６】従来のレインウエアの説明図である。
【符号の説明】
１０  袖部
１１  袖口
２１  係止環
２２  係止部材
Ａ  腕
Ｍ  使用者
ＲＷ  レインウエア
【図１】
2005015966.tif 000003
【図２】
2005015966.tif 000004
【図３】
2005015966.tif 000005
【図４】
2005015966.tif 000006
【図５】
2005015966.tif 000007
【図６】
2005015966.tif 000008
【手続補正書】
【提出日】平成15年7月2日(2003.7.2)
【手続補正２】
【補正対象書類名】明細書
【補正対象項目名】特許請求の範囲
【補正方法】変更
【補正の内容】
【特許請求の範囲】
【請求項１】
使用者が腕を通す２つの袖部が形成されているレインウエアにおいて、
前記レインウエアを前記使用者が装着した際、前記袖部の袖口付近に位置する前記使用者の腕に着脱自在に係止可能な係止部材が、前記袖部の袖口付近の内側に配設されていることを特徴とするレインウエア。
【請求項２】
前記袖部は、前記使用者の肩から手首にまで至る長さを有しており、前記係止部材は、伸縮自在な材料からなり且つ前記手首に着脱自在な環状に形成された係止環によって構成され、当該係止環の一部が前記袖部の袖口付近の内側に固定されていることを特徴とする請求項１に記載のレインウエア。
【請求項３】
前記係止環は、ゴムバンドにより形成されていることを特徴とする請求項２に記載のレインウエア。